(57)【特許請求の範囲】
【請求項１】
複数の内線電話機及び複数の電話回線を収容接続する電話交換機であって、
同一電話回線内のダイヤルイン内線番号毎に着信先内線電話機番号を記憶する番号変換記憶手段と、
前記ダイヤルイン内線番号毎に着信音パターンを記憶する着信音記憶手段と、
前記複数の電話回線への着信を検出する着信検出手段と、
この着信検出手段にて着信を検出すると、この着信に関わる電話回線のダイヤルイン内線番号を検出するダイヤルイン内線番号検出手段と、
このダイヤルイン内線番号検出手段にて検出したダイヤルイン内線番号に対応する着信先内線電話機番号を前記番号変換記憶手段から検索することで、着信先内線電話機を特定すると共に、前記ダイヤルイン内線番号に対応する着信音パターンを前記着信音記憶手段から検索し、この検索した着信音パターンに基づいて、前記特定した着信対象の着信先内線電話機への着信音鳴動動作を実行する制御手段と、
前記複数の電話回線を同一発信者種別内でグループ分けしておき、前記着信に関わる電話回線のグループを識別するグループ番号を検出するグループ番号検出手段と、を有し、
前記着信音記憶手段は、前記グループ番号毎に着信音パターンを記憶しておき、かつ、前記制御手段は、前記ダイヤルイン内線番号に対応した着信音パターンを前記着信音記憶手段から検索することができない場合には、前記グループ番号検出手段にて検出したグループ番号に対応する着信音パターンを前記着信音記憶手段から検索し、この検索した着信音パターンに基づいて、前記特定した着信対象の着信先内線電話機への着信音鳴動動作を実行することを特徴とする電話交換機。
【請求項２】
前記着信に関わる電話回線の発信者種別を検出する発信者種別検出手段を有し、
前記着信音記憶手段は、
前記発信者種別毎に着信音パターンを記憶しておき、
前記制御手段は、
前記グループ番号に対応した着信音パターンを前記着信音記憶手段が記憶していないことから検索することができない場合、又は前記複数の電話回線を前記同一発信者種別内でグループ分けしていないことから前記グループ番号検出手段にてグループ番号を検出することができない場合には、前記発信者種別検出手段にて検出した発信者種別に対応する着信音パターンを前記着信音記憶手段から検索し、この検索した着信音パターンに基づいて、前記特定した着信対象の着信先内線電話機への着信音鳴動動作を実行することを特徴とする請求項１記載の電話交換機。
【請求項３】
前記着信音パターンは、
前記内線電話機で鳴動する着信音のリンギングパターンを変更するリンギングデータであることを特徴とする請求項１又は２記載の電話交換機。
【請求項４】
前記着信音パターンは、
前記内線電話機で鳴動する着信音の音色を変更する着信音音色データであることを特徴とする請求項１、２又は３記載の電話交換機。
【発明の詳細な説明】
【０００１】
【発明の属する技術分野】
本発明は、複数の電話回線、例えば公衆回線、私設回線等及び、複数の内線電話機等を収容接続する電話交換機に関し、詳しくは、その内線電話機への着信に応じて、その着信音の鳴動を変える機能を備えた電話交換機に関する。
【０００２】
【従来の技術】
従来、このような電話交換機は、複数の電話回線及び複数の内線電話機を収容接続し、電話回線、例えば公衆回線、私設回線や内線回線等といった発信者種別毎に着信音パターンを記憶している。
【０００３】
着信音パターンは、リンギングデータや、着信音音色データ等に相当するものである。
【０００４】
このような従来の電話交換機によれば、例えば内線電話機への内線着信を検出すると、この内線着信に対応した発信者種別毎に着信音パターンを検索し、この検索した着信音パターンに基づいて、着信対象の内線電話機に対して着信音鳴動動作を実行するようにしたので、着信対象の内線電話機のユーザは、その着信音を受聴することで、その発信先である電話回線の発信者種別を認識することができる。
【０００５】
【発明が解決しようとする課題】
しかしながら、上記従来の電話交換機によれば、その内線電話機への着信を検出すると、その発信先電話回線の発信者種別毎に着信音を区別するようにしたが、例えばダイヤルイン方式のダイヤルイン内線番号毎に着信音を区別したくても、これらダイヤルイン内線番号が同一電話回線、つまり、同一発信者種別であることから、ダイヤルイン内線番号毎に着信音を区別することができない。
【０００６】
また、複数の電話回線を同一発信者種別内でグループ分けし、これら電話回線グループ毎に着信音を区別したくても、これら電話回線グループが同一発信者種別であることから、電話回線グループ毎に着信音を区別することができない。
【０００７】
本発明は上記点に鑑みてなされたものであり、その目的とするところは、ダイヤルイン方式のように同一電話回線内であっても、ダイヤルイン内線番号毎に着信音を区別することができる電話交換機を提供することにある。
【０００８】
また、本発明の目的とするところは、同一発信者種別であっても、電話回線グループ毎に着信音を区別することができる電話交換機を提供することにある。
【０００９】
【課題を解決するための手段】
上記目的を達成するために本発明の電話交換機は、複数の内線電話機及び複数の電話回線を収容接続する電話交換機であって、同一電話回線内のダイヤルイン内線番号毎に着信先内線電話機番号を記憶する番号変換記憶手段と、前記ダイヤルイン内線番号毎に着信音パターンを記憶する着信音記憶手段と、前記複数の電話回線への着信を検出する着信検出手段と、この着信検出手段にて着信を検出すると、この着信に関わる電話回線のダイヤルイン内線番号を検出するダイヤルイン内線番号検出手段と、このダイヤルイン内線番号検出手段にて検出したダイヤルイン内線番号に対応する着信先内線電話機番号を前記番号変換記憶手段から検索することで、着信先内線電話機を特定すると共に、前記ダイヤルイン内線番号に対応する着信音パターンを前記着信音記憶手段から検索し、この検索した着信音パターンに基づいて、前記特定した着信対象の着信先内線電話機への着信音鳴動動作を実行する制御手段と、前記複数の電話回線を同一発信者種別内でグループ分けしておき、前記着信に関わる電話回線のグループを識別するグループ番号を検出するグループ番号検出手段と、を有し、前記着信音記憶手段は、前記グループ番号毎に着信音パターンを記憶しておき、かつ、前記制御手段は、前記ダイヤルイン内線番号に対応した着信音パターンを前記着信音記憶手段から検索することができない場合には、前記グループ番号検出手段にて検出したグループ番号に対応する着信音パターンを前記着信音記憶手段から検索し、この検索した着信音パターンに基づいて、前記特定した着信対象の着信先内線電話機への着信音鳴動動作を実行するようにした。
【００１０】
従って、本発明の電話交換機によれば、同一電話回線内のダイヤルイン内線番号毎に着信音パターンを着信音記憶手段に記憶しておき、内線電話機への着信を検出すると、この着信に関わる電話回線のダイヤルイン内線番号を検出し、このダイヤルイン内線番号に対応した着信先内線電話機番号を検索することで、着信先内線電話機を特定すると共に、前記ダイヤルイン内線番号に対応する着信音パターンを着信音記憶手段から検索し、この検索した着信音パターンに基づいて、前記特定した着信対象の着信先内線電話機への着信音鳴動動作を実行するようにしたので、ダイヤルイン方式のような同一電話回線内であっても、ダイヤルイン内線番号毎に着信音を区別することができる。
【００１２】
また、本発明の電話交換機によれば、同一発信者種別内でグループ分けしておき、着信に関わる電話回線のグループを識別するグループ番号毎に着信音パターンを着信音記憶手段に記憶しておき、着信に関わる電話回線内のダイヤルイン内線番号に対応した着信音パターンを検索することができなくても、グループ番号に対応した着信音パターンを検索し、この検索した着信音パターンに基づいて、前記特定した着信対象の着信先内線電話機への着信音鳴動動作を実行するようにしたので、ダイヤルイン内線番号毎に着信音を区別できなくても、同一発信者種別内のグループ番号毎に着信音を区別することができる。
【００１３】
本発明の電話交換機は、前記着信に関わる電話回線の発信者種別を検出する発信者種別検出手段を有し、前記着信音記憶手段は、前記発信者種別毎に着信音パターンを記憶しておき、前記制御手段は、前記グループ番号に対応した着信音パターンを前記着信音記憶手段から検索することができない場合、又は前記グループ番号検出手段にてグループ番号を検出することができない場合には、前記発信者種別検出手段にて検出した発信者種別に対応する着信音パターンを前記着信音記憶手段から検索し、この検索した着信音パターンに基づいて、前記特定した着信対象の着信先内線電話機への着信音鳴動動作を実行するようにした。
【００１４】
従って、本発明の電話交換機によれば、着信に関わる電話回線の発信者種別毎に着信音パターンを着信音記憶手段に記憶しておき、グループ番号に対応した着信音パターンを検索することができない場合、又は、着信に関わる電話回線のグループ番号を検出することができない場合には、着信に関わる電話回線の発信者種別に対応した着信音パターンを検索し、この検索した着信音パターンに基づいて、前記特定した着信対象の着信先内線電話機への着信音鳴動動作を実行するようにしたので、グループ番号毎に着信音を区別できなくても、発信者種別毎に着信音を区別することができる。
【００１９】
本発明の電話交換機は、前記着信音パターンが、前記内線電話機で鳴動する着信音のリンギングパターンを変更するリンギングデータである。
【００２０】
従って、本発明の電話交換機によれば、着信音のリンギングパターンを変えることで着信音を区別することができる。
【００２１】
本発明の電話交換機は、前記着信音パターンが、前記内線電話機で鳴動する着信音の音色を変更する着信音音色データである。
【００２２】
従って、本発明の電話交換機によれば、着信音の音色を変えることで着信音を区別することができる。
【００２３】
【発明の実施の形態】
以下、図面に基づいて本発明の実施の形態を示す電話交換機について説明する。図１は本発明の実施の形態を示す電話交換機内部の概略構成を示すブロック図である。
【００２４】
図１に示す電話交換機１は、複数の内線電話機である多機能内線電話機１１と、これら多機能内線電話機１１を収容接続する多機能電話内線回路（ＭＴＬＩＮ）１２と、複数の内線電話機である一般内線電話機１３と、これら一般内線電話機１３を収容接続する一般電話内線回路（ＬＩＮ）１４と、公衆網２の電話回線である公衆回線２Ａを収容接続する局線トランク（ＣＯＴ）１５と、私設網３の電話回線である専用線回線３Ａを収容接続する専用線トランク（ＰＶＴ）１６と、これら多機能電話内線回路１２、一般電話内線回路１４、局線トランク１５及び専用線トランク１６間の通話路を形成する通話路スイッチ（ＴＳＷ）１７と、交換動作制御プログラム等の各種プログラム、各種データ、各種テーブル等を記憶する記憶装置（ＭＥＭ）１８と、着信音パターンを記憶するパターンＲＯＭ１９と、作業領域としてのＲＡＭ２０と、この電話交換機１全体を制御する中央制御装置（ＣＰＵ）２１と、これら多機能電話内線回路１２、一般電話内線回路１４、局線トランク１５、専用線トランク１６、通話路スイッチ１７、記憶装置１８、パターンＲＯＭ１９、ＲＡＭ２０及び中央制御装置２１間でデータ送受信を施す制御バス２２とを有している。
【００２５】
尚、請求項記載の内線電話機は、多機能内線電話機１１や一般内線電話機１３に、電話回線は内線回線１Ａ、公衆回線２Ａや専用線回線３Ａに、着信音記憶手段は記憶装置１８及びパターンＲＯＭ２０に、番号変換記憶手段は記憶装置１８（内線番号変換テーブル４０）に、着信検出手段及び着信先内線番号検出手段は多機能電話内線回路１２、一般電話内線回路１４、局線トランク１５及び専用線トランク１６に、ダイヤルイン内線番号検出手段は局線トランク１５や専用線トランク１６に、グループ番号検出手段、発信者種別検出手段及び制御手段は中央制御装置２１に相当するものである。
【００２６】
記憶装置１８は、一般内線電話機１３、多機能内線電話機１１、局線トランク１５及び専用線トランク１６に収容接続する各種電話回線に関わる管理データ（図２参照）や、ダイヤルイン内線番号を内線番号（着信先内線電話機番号）に変換する内線番号変換テーブル（図３参照）や、内線番号から内線収容位置データを検索する内線収容位置データ変換テーブル（図４参照）等が記憶してある。
【００２７】
図２は記憶装置１８に記憶管理された管理データのデータ内容を示す説明図である。
【００２８】
図２に示す管理データ３０は、収容位置データ３１単位で多機能電話内線回路１２及び一般電話内線回路１４、局線トランク１５及び専用線トランク１６に関わるデータが記憶され、例えば局線トランク１５に関わるデータでは、現在着信中の着信先番号３２と、電話回線の発信者種別３３と、現在着信中の着信形式３４と、この局線トランク１５内の電話回線に関わるグループ番号３５とが記憶してある。
【００２９】
収容位置データ３１とは、例えば電話交換機１内部に収容するパッケージの識別番号等に相当するものである。
【００３０】
発信者種別３３とは、例えば公衆回線２Ａ、専用線回線３Ａ及び内線回線１Ａ等の回線種別に相当するものである。着信形式３４とは、例えばダイヤルイン形式や一般形式等に相当するものである。
【００３１】
また、多機能電話内線回路１２に関わるデータとしては、内線番号３６と、現在着信中の回線の発信者種別３７と、当該内線回線１Ａに対する内線回線１Ａからの着信時に鳴動する着信音のリンギングパターンを示す発信者内線リンギングパターン番号３８Ａ及び、その着信音の音色を示す発信者内線音色番号３９Ａと、当該内線回線１Ａに対する専用線回線３Ａからの着信時に鳴動する着信音のリンギングパターンを示す発信者専用線リンギングパターン番号３８Ｂ及び、その着信音の音色を示す発信者専用線音色番号３９Ｂと、当該内線回線に対する局線回線２Ａからの着信時に鳴動する着信音のリンギングパターンを示す発信者局線リンギングパターン番号３８Ｃ及び、その着信音の音色を示す発信者局線音色番号３９Ｃとを有している。
【００３２】
図３は記憶装置１８に記憶された内線番号変換テーブルのテーブル内容を示す説明図である。
【００３３】
図３に示す内線番号変換テーブル４０は、ダイヤルイン形式の着信形式の場合に使用し、ダイヤルイン内線番号４１と、このダイヤルイン内線番号４１に対応する内線番号４２とを記憶しておき、現在着信中のダイヤルイン内線番号から、このダイヤルイン内線番号に対応した内線番号を検索するための変換テーブルである。また、内線番号変換テーブル４０は、ダイヤルイン内線番号４１毎に夫々対応した着信音パターン（リンギングパターン番号４３及び着信音色番号４４）が記憶してある。
【００３４】
図４は記憶装置１８に記憶された内線収容位置データ変換テーブルのテーブル内容を示す説明図である。
【００３５】
図４に示す内線収容位置データ変換テーブル５０は、内線番号５１と、この内線番号５１に対応する内線収容位置データ５２とを記憶しておき、現在着信中の内線番号から、この内線番号に対応した内線収容位置データを検索するための変換テーブルである。
【００３６】
次に本実施の形態に示す電話交換機１の動作について説明する。図５は本実施の形態に示す電話交換機１の内線着信処理に関わる中央制御装置２１の処理動作を示すフローチャートである。
【００３７】
図５において中央制御装置２１は、公衆回線２Ａや専用線回線３Ａを通じて、局線トランク１５や専用線トランク１６からの着信、又は内線回線１Ａを通じて、多機能電話内線回路１２や一般電話内線回路１４を通じて多機能内線電話機１１若しくは一般内線電話機１３からの発信操作を検出したか否かを判定する（ステップＳ１１）。
【００３８】
内線回線１Ａからの発信操作又は、公衆回線２Ａや専用線回線３Ａからの着信を検出したのであれば、この着信に関わる電話回線の収容位置に対応する管理データ３０（図２参照）から発信者種別３３を抽出し、この発信者種別３３が局線であるか否かを判定する（ステップＳ１２）。
【００３９】
この着信に関わる発信者種別３３が局線であると判定されると、管理データ３０の着信形式３４に基づいて、その着信形式がダイヤルイン形式であるか否かを判定する（ステップＳ１３）。その着信形式がダイヤルイン形式であると判定されると、図６に示すように、この着信に関わる電話回線の発信者種別６１及び着信形式６２をトランクメモリ使用種別６０としてＲＡＭ１９上に設定し、このトランクメモリ使用種別６０を局線／ダイヤルイン方式に設定することになる（ステップＳ１４）。
【００４０】
中央制御装置２１は、ダイヤルイン内線番号を受信すると（ステップＳ１５）、このダイヤルイン内線番号６３をトランクメモリ使用種別６０に設定し、このダイヤルイン内線番号に対応した内線番号を図３に示す内線番号変換テーブル４０から検索できたか否かを判定する（ステップＳ１６）。
【００４１】
内線番号を検索することができたのであれば、この検索した内線番号を抽出し（ステップＳ１７）、この内線番号に対応する内線収容位置データを図４に示す内線収容位置データ変換テーブル５０から検索できたか否かを判定する（ステップＳ１８）。
【００４２】
内線収容位置データを検索することができたのであれば、この内線収容位置データに対応する管理データ３０を図２に示すテーブルから取得し（ステップＳ１９）、この管理データ３０に基づいて、この着信対象の多機能内線電話機１１や一般内線電話機１３で鳴動する着信音に関わる着信音パターンを設定する着信音パターン設定処理（図７参照）に移行する（ステップＳ２０）。
【００４３】
さらに、中央制御装置２１は、この着信音パターン設定処理にて着信音パターンを設定した後、この着信音パターンに基づいて内線着信動作を実行し（ステップＳ２１）、この処理動作を終了する。
【００４４】
ステップＳ１２にて発信者種別３３が局線でなければ、この着信に関わる電話回線の収容位置に対応する管理データ３０から発信者種別３３を抽出し、この発信者種別３３が専用線であるか否かを判定する（ステップＳ２２）。発信者種別３３が専用線であれば、図６に示すトランクメモリ使用種別６０を専用線に設定し（ステップＳ２３）、この着信対象の着信先番号を受信し（ステップＳ２４）、この着信先番号６３をトランクメモリ使用種別６０に設定し、この着信先番号である内線番号に対応する内線収容位置データを図４に示す内線収容位置データ変換テーブル５０から検索することができたか否かを判定する（ステップＳ２５）。内線収容位置データを検索することができたのであれば、ステップＳ１９に移行する。
【００４５】
ステップＳ２２にて発信者種別３３が専用線でなければ、その発信者種別３３が内線と判断し、図６に示すトランクメモリ使用種別を内線に設定し（ステップＳ２６）、この着信対象の内線番号を受信し（ステップＳ２７）、この内線番号６３をトランクメモリ使用種別６０に設定し、この内線番号に対応する内線収容位置データを内線収容位置データ変換テーブル５０から検索することができたか否かを判定する（ステップＳ２８）。
【００４６】
この内線番号に対応する内線収容位置データを検索することができたのであれば、ステップＳ１９に移行する。
【００４７】
ステップＳ１３にて着信形式３４がダイヤルイン形式でなければ、一般形式と判断し、トランクメモリ使用種別６０を局線／一般に設定する（ステップＳ２９）。中央制御装置２１は、この着信に関わる電話回線の収容位置に対応する図２の管理データ３０から着信対象の着信先番号３２を取得し（ステップＳ３０）、この着信先番号をトランクメモリ使用種別６０に設定し、この着信先番号である内線番号に対応した内線収容位置データを内線収容位置データ変換テーブル５０から検索することができたか否かを判定する（ステップＳ３１）。この内線番号に対応する内線収容位置データを検索することができたのであれば、ステップＳ１９に移行する。
【００４８】
ステップＳ３１にて内線番号に対応する内線収容位置データを検索することができなければ、この着信が不完全と判断し、着信不完全処理を実行し（ステップＳ３２）、この処理動作を終了する。
【００４９】
ステップＳ１６にてダイヤルイン内線番号に対応する内線番号を検索することができなければ、又はステップＳ１８にて内線番号に対応する内線収容位置データを検索することができなければ、着信不完全と判断し、ステップＳ３２に移行する。
【００５０】
また、ステップＳ２５又はステップＳ２８にて内線番号に対応する内線収容位置データを検索することができなければ、着信不完全と判断し、ステップＳ３２に移行する。
【００５１】
次に図５に示すステップＳ２０の着信音パターン設定処理について説明する。図７は着信音パターン設定処理に関わる中央制御装置２１の処理動作を示すフローチャートである。
【００５２】
図７において中央制御装置２１は、ＲＡＭ１９の作業領域上のトランクメモリ使用種別６０を局線／ダイヤルインに設定してあるか否かを判定する（ステップＳ４１）。局線／ダイヤルインに設定してあれば、ダイヤルイン内線番号に対応する着信音パターンを図３の内線番号変換テーブル４０から検索する検索動作を実行する（ステップＳ４２）。
【００５３】
ダイヤルイン内線番号に対応する着信音パターンを検索することができたか否かを判定する（ステップＳ４３）。ダイヤルイン内線番号に対応する着信音パターンを検索することができたのであれば、この着信音パターンに基づいて設定動作を実行し（ステップＳ４４）、この処理動作を終了する。
【００５４】
尚、ステップＳ４４の設定動作は、検索した着信音パターンに含まれるリンギングパターン番号及び着信音音色番号を検出し、このリンギングパターン番号に対応するリンギングデータをパターンＲＯＭ２０内の図９に示すリンギング格納領域２０Ａから検索すると共に、着信音音色番号に対応する着信音音色データをパターンＲＯＭ２０内の図１０に示す音色格納領域２０Ｂから検索し、これら検索したリンギングデータ及び着信音音色データを着信音として着信対象の多機能内線電話機１１に鳴動出力させるものである。
【００５５】
また、ステップＳ４３にてダイヤルイン内線番号に対応する着信音パターンを検索することができなければ、この着信に関わる電話回線のグループ番号を検出したか否かを判定する（ステップＳ４５）。尚、グループ番号は、図２に示す管理テーブルの管理データ３０内から検出するものである。
【００５６】
ステップＳ４５にてグループ番号に対応する着信音パターン（リンギングパターン番号及び着信音音色番号）を、図８に示すグループ番号−パターン検索テーブル７０から検索する検索動作を実行する（ステップＳ４６）。尚、図８に示すグループ番号−パターン検索テーブル７０は、グループ番号７１と、このグループ番号７１毎に着信音パターン（リンギングパターン番号７２及び着信音音色番号７３）とを記憶している。ステップＳ４６にて検索動作を実行すると、図８に示すグループ番号−パターン検索テーブル７０からグループ番号７１に対応した着信音パターンを検索することができたか否かを判定する（ステップＳ４７）。
【００５７】
グループ番号７１に対応した着信音パターンを検索することができたのであれば、グループ番号に対応した着信音パターンを設定すべく、ステップＳ４４に移行する。
【００５８】
グループ番号７１に対応する着信音パターンを検索することができなければ、発信者種別に対応した着信音パターンを検索する検索動作を実行する（ステップＳ４８）。発信者種別に対応した着信音パターンを検索することができたか否かを判定する（ステップＳ４９）。尚、発信者種別に対応した着信音パターンは、着信中回線で使用する図６のトランクメモリ使用種別６０の発信者種別６１により、着信先内線に対応する図２の管理データ３０にある発信者種別毎のリンギングパターン番号３８Ａ（３８Ｂ，３８Ｃ）／音色番号３９Ａ（３９Ｂ，３９Ｃ）から取得するものである。
【００５９】
発信者種別に対応した着信音パターンを検索することができたのであれば、この検索した着信音パターンを設定すべく、ステップＳ４４に移行する。
【００６０】
ステップＳ４１にてトランクメモリ使用種別６０を局線／ダイヤルインに設定したのでなければ、そのトランクメモリ使用種別６０が局線／一般に設定してあるか否かを判定する（ステップＳ５０）。
【００６１】
トランクメモリ使用種別６０を局線／一般に設定したのであれば、グループ番号を検出すべく、ステップＳ４５に移行する。
【００６２】
ステップＳ５０にて局線/一般に設定したのでなければ、トランクメモリ使用種別６０を専用線に設定したか否かを判定する（ステップＳ５１）。
【００６３】
トランクメモリ使用種別６０を専用線に設定したのであれば、グループ番号を検出すべく、ステップＳ４５に移行する。トランクメモリ使用種別６０を専用線に設定したのでなければ、発信者種別に対応した着信音パターンを検索する検索動作を実行すべく、ステップＳ４８に移行する。
【００６４】
また、ステップＳ４５にてグループ番号を検出することができなかったのであれば、発信者種別に対応した着信音パターンを検索する検索動作を実行すべく、ステップＳ４８に移行する。
【００６５】
本実施の形態によれば、同一電話回線内のダイヤルイン内線番号毎に着信音パターンを記憶しておき、多機能内線電話機１１又は一般内線電話機１３への内線着信を検出すると、この内線着信に関わる電話回線のダイヤルイン内線番号を検出し、このダイヤルイン内線番号に対応した着信先内線番号を図３の内線番号変換テーブル４０から検索することで、着信対象の内線電話機を特定すると共に、ダイヤルイン内線番号に対応する着信音パターンを図３に示す内線番号変換テーブル４０から検索し、この検索した着信音パターンに基づいてリンギングデータ及び着信音音色をパターンＲＯＭ２０から検索し、これらリンギングデータ及び着信音音色に基づいて、着信対象の多機能内線電話機１１又は一般内線電話機１３への着信音鳴動動作を実行するようにしたので、ダイヤルイン方式のような同一電話回線内であっても、ダイヤルイン内線番号毎に着信音を区別することができる。
【００６６】
さらに、本実施の形態によれば、同一発信者種別内でグループ分けしておき、内線着信に関わる電話回線のグループを識別するグループ番号毎に着信音パターンを記憶しておき、内線着信に関わる電話回線内のダイヤルイン内線番号に対応した着信音パターンを検索することができなくても、グループ番号に対応した着信音パターンを検索し、この検索した着信音パターンに基づいてリンギングデータ及び着信音音色をパターンＲＯＭ２０から検索し、これらリンギングデータ及び着信音音色に基づいて、着信対象の多機能内線電話機１１又は一般内線電話機１３への着信音鳴動動作を実行するようにしたので、ダイヤルイン内線番号毎に着信音を区別できなくても、同一発信者種別内のグループ番号毎に着信音を区別することができる。
【００６７】
また、本実施の形態によれば、同一発信者種別内でグループ分けしておき、内線着信に関わる電話回線のグループを識別するグループ番号毎に着信音パターンを記憶しておき、ダイヤルイン方式以外の他の内線着信を検出すると、この内線着信に関わる着信先内線番号を検出することで、着信対象の内線電話機を特定すると共に、グループ番号に対応した着信音パターンをグループ番号−パターン検索テーブル７０から検索し、この検索した着信音パターンに基づいてリンギングデータ及び着信音音色をパターンＲＯＭ２０から検索し、これらリンギングデータ及び着信音音色に基づいて、着信対象の多機能内線電話機１１又は一般内線電話機１３への着信音鳴動動作を実行するようにしたので、ダイヤルイン内線番号毎に着信音を区別できなくても、同一発信者種別内のグループ番号毎に着信音を区別することができる。
【００６８】
【発明の効果】
上記のように構成された本発明の電話交換機によれば、同一電話回線内のダイヤルイン内線番号毎に着信音パターンを着信音記憶手段に記憶しておき、内線電話機への着信を検出すると、この着信に関わる電話回線のダイヤルイン内線番号を検出し、このダイヤルイン内線番号に対応した着信先内線電話機番号を検索することで、着信先内線電話機を特定すると共に、前記ダイヤルイン内線番号に対応する着信音パターンを着信音記憶手段から検索し、この検索した着信音パターンに基づいて、前記特定した着信対象の着信先内線電話機への着信音鳴動動作を実行するようにしたので、ダイヤルイン方式のような同一電話回線内であっても、ダイヤルイン内線番号毎に着信音を区別することができる。
【００６９】
また、本発明の電話交換機によれば、複数の電話回線を同一発信者種別内でグループ分けし、これらグループを識別するグループ番号毎に着信音パターンを着信音記憶手段に記憶しておき、内線電話機への着信を検出すると、この着信に関わる電話回線の着信先内線電話機番号を検出することで着信先内線電話機を特定すると共に、着信に関わる電話回線のグループ番号に対応した着信音パターンを検索し、この検索した着信音パターンに基づいて、前記特定した着信対象の着信先内線電話機への着信音鳴動動作を実行するようにしたので、同一発信者種別であっても、電話回線グループ毎に着信音を区別することができる。
【図面の簡単な説明】
【図１】本発明の実施の形態に示す電話交換機内部の概略構成を示すブロック図である。
【図２】本実施の形態に示す電話交換機の記憶装置に記憶されたデータ管理テーブルのデータ内容を示す説明図である。
【図３】本実施の形態に示す電話交換機の記憶装置に記憶された内線番号変換テーブルのデータ内容を示す説明図である。
【図４】本実施の形態に示す電話交換機の記憶装置に記憶された内線収容位置データ変換テーブルのデータ内容を示す説明図である。
【図５】本実施の形態に示す電話交換機の内線着信処理に関わる中央制御装置の処理動作を示すフローチャートである。
【図６】本実施の形態に示す電話交換機のＲＡＭ上に展開したトランクメモリ使用種別格納領域のデータ内容を示す説明図である。
【図７】本実施の形態に示す電話交換機の着信音パターン設定処理に関わる中央制御装置の処理動作を示すフローチャートである。
【図８】本実施の形態に示す電話交換機の記憶装置に記憶中のグループ番号−パターン検索テーブルのデータ内容を示す説明図である。
【図９】本実施の形態に示す電話交換機のパターンＲＯＭ内のリンギング格納領域に記憶中のデータ内容を示す説明図である。
【図１０】本実施の形態に示す電話交換機のパターンＲＯＭ内の音色格納領域に記憶中のデータ内容を示す説明図である。
【符号の説明】
１    電話交換機
１Ａ  内線回線（電話回線）
２Ａ  公衆回線（電話回線）
３Ａ  専用線回線（電話回線）
１１  多機能内線電話機（内線電話機）
１２  多機能電話内線回路（着信検出手段、着信先内線番号検出手段）
１３  一般内線電話機（内線電話機）
１４  一般電話内線回路（着信検出手段、着信先内線番号検出手段）
１５  局線トランク（着信検出手段、ダイヤルイン内線番号検出手段、着信先内線番号検出手段）
１６  専用線トランク（着信検出手段、ダイヤルイン内線番号検出手段、着信先内線番号検出手段）
１８  記憶装置（着信音記憶手段）
２０  パターンＲＯＭ（着信音記憶手段）
２１  中央制御装置（制御手段、グループ番号検出手段、発信者種別検出手段）
４０  内線番号変換テーブル（着信音記憶手段、番号変換記憶手段）
【図１】
0004786067.tif 000002
【図２】
0004786067.tif 000003
【図３】
0004786067.tif 000004
【図４】
0004786067.tif 000005
【図５】
0004786067.tif 000006
【図６】
0004786067.tif 000007
【図７】
0004786067.tif 000008
【図８】
0004786067.tif 000009
【図９】
0004786067.tif 000010
【図１０】
0004786067.tif 000011